【事件の表示】
　　　　特許第３０１７７４６号「水晶振動子」の請求項１に係る特許に対する特許異議の申立てについて、次のとおり決定する。
【結　論】
　訂正を認める。
　特許第３０１７７４６号の請求項１に係る特許を維持する。
【理　由】
（１）手続きの経緯
　出願日　　　　　　平成　１年　３月３１日
　登録日　　　　　　平成１１年１２月２４日
　特許異議申立　　　平成１２年　９月１３日
　取消理由通知　　　平成１２年１１月２９日
　特許異議意見書
　及び訂正請求書　　平成１３年　２月１３日
（２）訂正の適否についての判断
訂正明細書の請求項１に係る発明は、その特許請求の範囲の請求項１に記載された事項により特定される次のとおりのものである。
「表面実装用の容器を形成する基台と矩形状の保持用水晶板と矩形状の振動子用水晶片とを具備し、前記保持用水晶板の両端部を前記基台上に固着し、前記保持用水晶板と前記振動子用水晶片との長手方向を一致させるとともに前記振動子用水晶片と前記保持用水晶板との対向する主面間に間隙を有して、前記振動子用水晶片の長手方向の両端外周部を前記保持用水晶板上に固着した水晶振動子であって、前記基台に固着される前記保持用水晶板の短手方向の両端部を結ぶ固着方向と、前記保持用水晶板に固着される前記振動子用水晶片の長手方向の両端部を結ぶ固着方向とを直交方向にしたことを特徴とする水晶振動子。」（以下、「本願発明」という。）
ア．訂正の内容
　訂正事項ａ
　特許請求の範囲の請求項１の「基台と保持用水晶板と矩形状の振動子用晶片とを具備し、前記保持用水晶板の両端部を前記基台上に固着し、前記振動子用水晶片と前記保持用水晶板との対向する主面間に間隙を有して、前記振動子用水晶片の長手方向の両端外周部を前記保持用水晶板上に固着した水晶振動子であって、前記保持用水晶板の固着される両端部を結ぶ固着方向と前記振動子用水晶片の固着される長手方向の両端部を結ぶ固着方向とを直交方向こしたことを特徴とする水晶振動子。」を
「表面実装用の容器を形成する基台と矩形状の保持用水晶板と矩形状の振動子用水晶片とを具備し、前記保持用水晶板の両端部を前記基台上に固着し、前記保持用水晶板と前記振動子用水晶片との長手方向を一致させるとともに前記振動子用水晶片と前記保持用水晶板との対向する主面間に間隙を有して、前記振動子用水晶片の長手方向の両端外周部を前記保持用水晶板上に固着した水晶振動子であって、前記基台に固着される前記保持用水晶板の短手方向の両端部を結ぶ固着方向と、前記保持用水晶板に固着される前記振動子用水晶片の長手方向の両端部を結ぶ固着方向とを直交方向にしたことを特徴とする水晶振動子。」に訂正する。
　訂正事項ｂ
　明細書第８頁第８行乃至第１２行目の「また、振動子用水晶片４はＸ軸方向に細長い矩形状としたが、例えばＺ′軸方向に細長くした矩形状であってもあるいは正方形、円板状型であっても基本的にはその形状に左右されず実施できるものである。」（特許明細書第３頁第５欄第４行乃至第７行目参照）を
　「また、振動子用水晶片４はＸ軸方向に細長い矩形状としたが、例えばＺ′軸方向に細長くした矩形状であっても実施できるものである。」に訂正する。
　訂正事項ｃ
　明細書第８頁第１６行乃至第１９行目の「さらに基台１０はセラミック製の容器の一部としたが、これに限らず金属ベースであってもよいことは勿論で、」（特許明細書第３頁第５欄第１１行乃至第１３行目参照）を削除する。
イ．訂正の目的の適否、新規事項の有無及び拡張・変更の存否
　上記訂正事項ａの訂正は、請求項１に係る発明の構成中、基台、保持用水晶板及び保持用水晶板と振動子用水晶片との配置を限定するものである。
　また、上記訂正事項ａのうち、「表面実装用の容器を形成する基台」は、明細書第５頁第６行乃至第７行目に「水晶振動子は例えば容器の一部となるセラミック製の基台１０」と記載されている。
　また、「矩形状の保持用水晶板」は、特許明細書第２頁第４欄第２行〜第４行目に「保持用水晶板３と振動子用水晶片４はともにＡＴカットとなる同一方位で切断され、その形状を矩形状とする。」と記載されている。
　また、「前記保持用水晶板と前記振動子用水晶片との長手方向を一致させるとともに」は明細書第５頁第１７行乃至第１８行目に「振動子用水晶片４は長手方向（及び短手方向）を保守用水晶片３に一致させ、」と記載されている。
　また、「前記基台に固着される前記保持用水晶板の短手方向の両端部を結ぶ固着方向」は明細書第５頁第１５行乃至第１７行目に「保持用水晶板３は短手方向の両端側であって、長手方向の中央部分を基台１０に接着剤１１により固着される。」と記載されている。
　また、「前記保持用水品板に固着される前記振動子用水晶片」は明細書第５頁第１７行乃至第６頁第１行目に「振動子用水晶片４は長手方向（及び短手方向）を保持用水晶片３に一致させ、励振電極７から引き出し電極８の延出した両端外周部を同水晶板３に導電性接着剤１２により固着する。」と記載されている。
　したがって、この訂正は特許請求の範囲の減縮を目的とするものであり、また、出願当初の明細書に記載された事項の範囲内の訂正であり、かつ、特許請求の範囲を拡張し又は変更するものでもない。
　訂正事項ｂ
　訂正事項ｂは、特許請求の範囲の訂正にともなって、特許請求の範囲と明細書の発明の詳細な説明との整合を計るため、水晶板の形状から正方形、円板状型を除去する訂正であって、明りょうでない記載の釈明に相当するものである。
　訂正事項ｃ
　訂正事項ｃは、特許請求の範囲の訂正にともなって、特許請求の範囲と明細書の発明の詳細な説明との整合を計るため、表面実装用には一般に不向きで直接的には固着することが困難な金属ベースを除去する訂正であって、明りょうな記載の釈明に相当するものである。
ウ．むすび
　以上のとおりであるから、上記訂正事項ａ、ｂ、ｃは、特許法第１２０条の４第２項および同条第３項で準用する同法第１２６条第２、３項の規定に適合するので、当該訂正を認める。
（３）特許異議申立について
　ア．申立人佐々木邦夫の申立ての理由の概要
　申立人佐々木邦夫は、証拠として甲第１号証（実公昭６３−９１３９号公報）及び甲第２号証（特開昭５６−３５５２２号公報）を提示し、本件の請求項１に係る発明は、甲第１、２号証に記載された発明に基づいて当業者が容易に発明をすることができたものであるから、特許法第２９条第２項の規定に違反してなされたものであり、特許を取り消すべき旨主張している。
イ．甲各号証
　申立人佐々木邦夫が証拠として提示した甲第１号証（実公昭６３−９１３９号公報）及び甲第２号証（特開昭５６−３５５２２号公報）に記載された発明及び技術事項
　甲第１号証（実公昭６３−９１３９号公報）には、次の技術事項が記載されている。
　甲第１号は、圧電振動子の支持構造に関するものであり、その実用新案登録請求の範囲には、「（１）圧電板の両主面にそれぞれ励振電極と、該励振電極から該圧電板の周辺に向かって引出した引出電極とを配置し、該圧電板の輪かく寸法より大きい輪かく寸法を有する絶縁板の周辺部に導電部を形成し、該圧電板と該絶縁板とが互に主面を平行にし、該導電部の２つの部分が該引出電極と該絶縁板を支持する金属支持具とにそれぞれ電気的兼機械的接統し、かつ、該引出電極の接続箇所を結ぶ線と該金属支持具の接続箇所を結ぶ線とが９０゜±２０゜の角度をなしていることを特徴とする圧電振動子の支持装置。
（２）実用新案登録請求の範囲第（１）項において、該圧電板及び該絶縁板の両主面に対して該金属支持具が接続箇所から平行に延在していることを特徴とする圧電振動子の支持装置。
（３）実用新案登録請求の範囲第（１）項において、該圧電板と該絶縁板の熱膨張係数が等しいことを特徴とする圧電振動子の支持構造。」と記載されており、又同号証第２頁第３欄第３８〜４３行目には、「更に、絶縁板１６が水晶板と同程度の熱膨脹係数を有する物質（例えば水晶と同一物質、セラミックなど）であれば、クリップピンの温度係数がいかなる値であろうとも、水晶板１は支持系の温度特性の影響を受けることなく、水晶振動子の周波数温度特性を更に向上させることができる。」と記載されている。
　そうすると、甲第１号証には、ベースと絶縁板と水晶板とを具備し、前記絶縁板の両端部を前記ベースに支持し、前記水晶板と前記絶縁板との対向する主面間に間隙を有して、前記水晶板の両端外周部を前記絶縁板上に固着した水晶振動子であって、前記ベースに支持される前記絶縁板の両端部を結ぶ支持方向と、前記絶縁板に固着される前記水晶板の両端部を結ぶ固着方向とを直交方向にした水晶振動子の発明が記載されているものと認められる。
　甲第２号証（特開昭５６−３５５２２号公報）は、厚み滑り水晶振動片の支持構造に関するものであり、その第２頁左下欄第６〜９行目には、「さらに厚み滑り水晶片１を第８図に示すような矩形形状の水晶片１６に設計すれば、第９図の実施例に示す如くさらに小型化した水晶振動子を実現する事が出来る。」と記載されている。
ウ．対比・判断
　本件請求項１に係る特許発明と甲第１号証に記載された発明とを対比すると、甲第１号証記載のベース、絶縁板及び水晶板は、本願発明の基台、保持用水晶板及び振動子用水晶片に相当するものであるから、両者は、基台と保持用水晶板と振動子用水晶片とを具備し、前記保持用水晶板の両端部を前記基台上に支持し、前記振動子用水晶片と前記保持用水晶板との対向する主面間に間隙を有して、前記振動子用水晶片の両端外周部を前記保持用水晶板上に固着した水晶振動子であって、前記基台に支持される前記保持用水晶板の両端部を結ぶ支持方向と、前記保持用水晶板に固着される前記振動子用水晶片の両端部を結ぶ固着方向とを直交方向にした水晶振動子である点で一致するが、本願発明は、表面実装用の容器を形成する基台と矩形状の保持用水晶板と矩形状の振動子用水晶片とを具備し、前記保持用水晶板の両端部を前記基台上に固着し、前記保持用水晶板と前記振動子用水晶片との長手方向を一致させるとともに前記振動子用片と前記保持用水晶板との対向する主面間に間隙を有して、前記振動子用水晶片の長手方向の両端外周部を前記保持用水晶板上に固着した水晶振動子の構成を前提としたものであって、甲第１号証に記載された発明が前提としている振動子の構成とは異なるものである。そして、本願発明は、この前提とする構成に、さらに、基台に固着される保持用水晶板の短手方向の両端部を結ぶ固着方向と、保持用水晶板に固着される振動子用水晶片の長手方向の両端部を結ぶ固着方向とを直交させる構成を付加することにより、基板との熱膨張係数差による振動子用水晶片の長手方向に生ずる応力発生を防止したものである。したがって、そもそも前提の異なる甲第１号証に記載の発明から本願発明を想到することは当業者といえども容易であるとはいえない。
　また、甲第１号証記載の発明に甲第２号証に記載の技術事項を組み合わせても本願発明の前提とする構成が直ちに導きだせるものでもない。
（４）むすび
　以上のとおりであるから、特許異議申立人の理由及び証拠によっては、本件発明の特許を取り消すことはできない。
　また、他に本件発明の特許を取り消すべき理由を発見しない。
　よって、結論のとおり決定する。
【異議決定日】
平成１３年５月７日（２００１．５．７）
【訂正の要旨】
　訂正の要旨
　訂正事項ａ
　「基台と保持用水晶板と矩形状の振動子用品片とを具備し、前記保持用水晶板の両端部を前記基台上に固着し、前記振動子用水晶片と前記保持用水晶板との対向する主面間に間隙を有して、前記振動子用水晶片の長手方向の両端外周部を前記保持用水晶板上に固着した水晶振動子であって、前記保持用水晶板の固着される両端部を結ぶ固着方向と前記振動子用水晶片の固着される長手方向の両端部を結ぶ固着方向とを直交方向こしたことを特徴とする水晶振動子。」を特許請求の範囲の減縮を目的として
「表面実装用の容器を形成する基台と矩形状の保持用水晶板と矩形状の振動子用水晶片とを具備し、前記保持用水晶板の両端部を前記基台上に固着し、前記保持用水晶板と前記振動子用水晶片との長手方向を一致させるとともに前記振動子用水晶片と前記保持用水晶板との対向する主面間に間隙を有して、前記振動子用水晶片の長手方向の両端外周部を前記保持用水晶板上に固着した水晶振動子であって、前記基台に固着される前記保持用水晶板の短手方向の両端部を結ぶ固着方向と、前記保持用水晶板に固着される前記振動子用水晶片の長手方向の両端部を結ぶ固着方向とを直交方向にしたことを特徴とする水晶振動子。」と訂正する。
　訂正事項ｂ
　特許明細書第３頁第５欄第４行乃至第７行目の「また、振動子用水晶片４はＸ軸方向に細長い矩形状としたが、例えばＺ′軸方向に細長くした矩形状であってもあるいは正方形、円板状型であっても基本的にはその形状に左右されず実施できるものである。」を明りょうでない記載の釈明を目的として
　「また、振動子用水晶片４はＸ軸方向に細長い矩形状としたが、例えばＺ′軸方向に細長くした矩形状であっても実施できるものである。」と訂正する。
　訂正事項ｃ
　特許明細書第３頁第５欄第１１行乃至第１３行目の「さらに基台１０はセラミック製の容器の一部としたが、これに限らず金属ベースであってもよいことは勿論で、」を明りょうでない記載の釈明を目的として削除する。
（５４）【発明の名称】
水晶振動子
（５７）【特許請求の範囲】
　表面実装用の容器を形成する
矩形状の
前記保持用水晶板と前記振動子用水晶片との長手方向を一致させるとともに
前記基台に固着される
短手方向の
、前記保持用水晶板に固着される
【発明の詳細な説明】
（発明の利用分野）
　本発明は発振子、フィルタ素子等としての水晶振動子を利用分野とし、特に水晶片と保持系との熱膨張係数の差によるストレスの影響を防止した薄型の水晶振動子に関する。
（発明の背景）
　水晶振動子は例えば発振子として周波数及び時間の基準源として種々の電子機器に多用される。近年では、これら電子機器の傾向に伴い小型、薄型で（表面実装に適し）、しかも熱膨張に起因した水晶振動子の周波数変化を防止したものが望まれている（参照公報：実公昭６２−４４５８０号）。
（従来技術）
　第２図はこの種の一従来例を説明する水晶振動子の図である。
　水晶振動子は一対のリード端子１が表面に突出した金属ベース２と、保持用水晶片３と、振動子用水晶片４とからなる。保持用水晶片３は長手方向の両端側に透孔５及びその部分にメタライズ電極６が形成される。そして、透孔５にリード端子１が嵌装してメタライズ電極６に接続するとともにベース表面上に固定される。振動子用水晶片４は例えばｘ軸方向に細長い矩形状とし、両主面の励振電極７からそれぞれ反対方向の両端外周部に引き出し電極８を延出する。そして、保持用水晶板３と対向する面側の両端外周部を例えば導電性接着剤によりメタライズ電極上に固着した構成とする。但し、導電性接着剤（及びメタライズ電極）の厚みにより保持用水晶板３と振動子水晶片４との対向面間には空隙を存するようにし、振動子用水晶片の励振を阻害しないものとする。
　このようなものでは、導電性接着剤により直接振動子用水晶片４を保持用水晶板３に対面させて固着したので、例えば第３図に示したように、保持用のサポータ９を除去してその高さ寸法を縮小できる。また、保持用水晶板３と振動子用水晶片４とは同一材からなるので、熱膨張係数を等しくする。したがって、振動子用水晶片４は保持系との熱膨張係数の差異によるストレス（応力）の発生がない。そして、応力感度特性に起因した周波数変化を防止して水晶振動子本来の例えば三次曲線となる周波数温度特性（第４図参照）を得ることができる。また、極端な場合に生ずるストレスによる振動子用水晶板４の破損も防止できる。
（従来技術の問題点）
　しかしながら、上記構成の水晶振動子では、保持用水晶板３の両端外周部がリード線により固定される。したがって、保持用水晶板３はベースの熱膨張に強制され、本来の熱膨張係数に伴う特に長手方向の伸縮を阻害される（即ち、ストレスを生ずる）。このようなことから、実際には、保持用水晶板３に固着された振動子用水晶片４は、特に長手方向にストレスを生じて周波数変化を来し、本来の温度特性を損ねてしまう問題があった。
（発明の目的）
　本発明は小型化に適し、熱膨張による周波数変化を防止して良好な温度特性の得られる水晶振動子を提供することを目的とする。
（解決手段及び作用）
　本発明は、基台（ベース）と保持用水晶片の固着方向と該保持用水晶片と振動子用水晶片の固着方向とを直交する方向にしたことを解決手段とする。そして、この解決手段により、基台と保持用水晶片の固着方向と直交する振動子用水晶片と保持用水晶板の固着方向は自由端となるので、この方向でのストレス発生を防止する作用がある。以下、本発明の実施例を説明する。
（実施例）
　第１図は本発明の一実施例を説明する水晶振動子の図で、同図（ａ）は斜視図、同図（ｂ）は同図（ａ）のＺ−Ｚ線上の断面図である。なお、前従来列と同一部分には同番号を付してその説明は簡略する。
　水晶振動子は例えば容器の一部となるセラミックス製の基台１０と、保持用水晶板３と、振動子用水晶板４とからなる。保持用水晶板３と振動子用水晶片４はともにＡＴカットとなる同一方位で切断され、その形状を矩形状とする。そして、長手方向を結晶軸（ｘ、ｙ、ｚ）のｘ軸、短手方向をｚ’軸、厚み方向をｙ’軸とし、保持用水晶板３を振動子用水晶片４よりいずれの方向も大きくする。
　そして、保持用水晶板３は短手方向の両端側であって、長手方向の中央部分を基台１０に接着剤１１により固着される。振動子用水晶片４は長手方向（及び短手方向）を保持用水晶片３に一致させ、励振電極７から引き出し電極８の延出した両端外周部を同水晶板３に導電性接着剤１２により固着する。すなわち、基台１０と保持用水晶片３の固着方向（図中のＸ−Ｘ線方向）と保持用水晶片３と振動子用水晶片４の固着方向（同Ｚ−Ｚ線方向）とを直交する方向にする。但し、導電性接着剤１２の厚みにより、保持用水晶板３との対向面側に空隙を存して振動子水晶片の励振を阻害しないようにする。そして、導電性接着剤１２には例えば微粒径のガラスをフィラーとして混入し、確実に空隙を維持できるようにする。また、基台１０及び保持用水晶板３には振動子用水晶片４に接続する図示しない導電路が形成される。そして、例えばスルーホール加工により基台の容器表面に図示しない外部接続端子を形成し、更にカバーを被せて表面実装用とする。
　このようなものでは、保持用水晶板３の短手方向のみを基台１０に固着したので、長手方向は自由端となる。したがって、長手方向では熱に対して伸縮自在となりストレスは生じない。また、振動子用水晶片４は長手方向を保持用本晶片３の同方同に一致してその両端則を固着する。したがって、振動子用水晶片４の長手方向での伸縮は保持用水晶片３の影響を受けるが、両者は同一材料で熱膨張係数が等しいので熱によるストレスは実質的に発生しない。また、この実施例では、保持用水晶片３の短手方向を固定端とした影響（ストレスの発生）はあるが、保持用水晶板３は振動子用水晶片４より同方向において大きいので、基板１０の歪みを吸収して振動子用水晶片４のストレスを軽減する。このようなことから、この構成の水晶振動子は熱膨張差に起因した周波数変化を防止するので、振動子用水晶片の三次曲線となる温度特性を良好に維持することができる。
（他の事項）
　なお、上記実施例では、保持用水晶板３は短手方向の両端部を基台１０に固着したが、この両端を結ぶライン（Ｚ−Ｚ）上としても更にこのラインを長手方向に移動したとしもその効果は充分に期待できる。また、振動子用水晶片４は引き出し電極８の延出した両端外周部を保持用水晶板３に固着したが、例えば両端外周部の中心部を点的に固着して短手方向の両端側を自由端とし、この方向におけるストレスを受けないようにしてもよい。
　また、接着剤は単に基台１０．保持用水晶板３及び振動子用水晶片４の間に施したが、例えば接着剤の塗布領域の周囲に溝等を設け、接着剤の流出による塗布領域の広がりを防止するようにしてもよい。
　また、振動子用水晶片４はｘ軸方向に細長い矩形状としたが、例えばｚ’軸方向に細長くした矩形状であっても実施できるものである。そして、振動子用水晶片４は発振子としたが、例えば多重モードを利用した所謂入出力電極及び共通電極等の複数対の電極を形成したＭＣＦ等にも適用できるものである。本発明はその他その趣旨を逸脱しない範囲内で適宜変更できるものである。
（発明の効果）
　本発明は、基台と保持用水晶片の固着方向と該保持用水晶片と振動子用水晶片の固着方向とを直交する方向にしたので、熱膨張による周波数変化を防止して良好な温度特性が得られて小型化に適した水晶振動子を提供でき、その利用価値は多大である。
【図面の簡単な説明】
　第１図は本発明の一実施例を説明する水晶振動子の図で、同図（ａ）は斜視図、同図（ｂ）はＸ−Ｘ線上の断面図である。
　第２図は従来例を説明する水晶振動子の分解余視図、第３図は他の従来例を説明する水晶振動子の斜視図、第４図は水晶振動子の周波数温度特性図である。